(57)【要約】【課題】払拭手段を必要なときにすぐに取り出して、表示部に付着した指紋、指に含まれた脂肪分等による汚れやその他の曇りを払拭可能にする。【解決手段】液晶表示部４が設けられた第１の筐体２に、液晶表示部４を払拭するためのクリーナ６（払拭手段）を収容する。【選択図】図３
2007166331.tif 000002
【特許請求の範囲】
【請求項１】
表示部と該表示部が設けられた筐体とを有する電子機器において、
上記表示部を払拭するための払拭手段が上記筐体に収容されていることを特徴とする電子機器。
【請求項２】
請求項１に記載の電子機器において、
上記払拭手段は、上記表示部の近傍に収容されていることを特徴とする電子機器。
【請求項３】
請求項１に記載の電子機器において、
上記払拭手段は、上記筐体の側面に収容されていることを特徴とする電子機器。
【請求項４】
請求項２又は３に記載の電子機器において、
上記払拭手段は、ゴム含有プラスチック樹脂やゴムを材料とした成形品よりなる払拭手段本体と、繊維布とで構成されていることを特徴とする電子機器。
【請求項５】
請求項４に記載の電子機器において、
上記払拭手段本体には、繊維布収容凹部が設けられ、該繊維布収容凹部に上記繊維布が嵌め込まれるように構成されていることを特徴とする電子機器。
【請求項６】
請求項５に記載の電子機器において、
上記繊維布収容凹部の深さは、上記繊維布の高さよりも浅いことを特徴とする電子機器。
【請求項７】
請求項４乃至６のいずれか１つに記載の電子機器において、
上記筐体は、上記払拭手段を収容する払拭手段収容凹部を備え、
上記払拭手段本体の上記繊維布収容凹部が設けられた面における長手方向一端側には、略垂直に突出する取付用突起が形成され、他端には、該払拭手段本体の長手方向に突出する係止用爪が形成され、
上記払拭手段収容凹部の底面には、上記取付用突起が嵌入される取付用孔と、上記係止用爪を係止する係止用凹部とが形成されていることを特徴とする電子機器。
【請求項８】
請求項４乃至６のいずれか１つに記載の電子機器において、
上記筐体は、上記払拭手段を収容する払拭手段収容凹部を備え、
上記払拭手段本体の上記繊維布収容凹部が設けられた面における長手方向両端には、該払拭手段本体の長手方向に突出する係止用爪がそれぞれ形成され、
上記払拭手段収容凹部には、上記各係止用爪を係止する係止用凹部がそれぞれ形成されていることを特徴とする電子機器。
【請求項９】
請求項７又は８に記載の電子機器において、
上記払拭手段は、上記払拭手段収容凹部に収容された状態で、その底面が上記筐体の表面と略面一となっていることを特徴とする電子機器。
【請求項１０】
請求項９に記載の電子機器において、
上記払拭手段収容凹部を形成する壁部における係止用凹部の近傍の表面側には、払拭手段を該払拭手段収容凹部から剥ぎ取るように手の爪を挿入するための剥離用凹部が設けられていることを特徴とする電子機器。
【請求項１１】
請求項７乃至１０のいずれか１つに記載の電子機器において、
上記払拭手段本体の上記繊維布の反対側には、周囲よりも凹んだ折曲用溝部が形成され、払拭手段本体が該折曲用溝部を境に折り曲げられるように構成されていることを特徴とする電子機器。
【請求項１２】
請求項１に記載の電子機器において、
上記払拭手段は、上記筐体に設けた電池蓋の表面に収容されていることを特徴とする電子機器。
【請求項１３】
請求項２、３及び１２のいずれか１つに記載の電子機器において、
上記払拭手段は、繊維布のみで構成されていることを特徴とする電子機器。
【請求項１４】
携帯通信機器であることを特徴とする請求項１乃至１３のいずれか１つに記載の電子機器。
【請求項１５】
携帯電話機であることを特徴とする請求項１４に記載の電子機器。
【発明の詳細な説明】
【技術分野】
【０００１】
本発明は、表示部を有する電子機器に関し、特にその表示部を払拭する構造に関する。
【背景技術】
【０００２】
従来より、表示部を有する電子機器では、使用する度に表示部に指が接触し、指紋、指に含まれた脂肪分等による汚れやその他の曇りが発生する。この指紋、指に含まれた脂肪分等による汚れや曇りを払拭するために、ハンカチ、チリ紙や服で拭って使用することが多い。しかしながら、ハンカチやチリ紙がその場にない場合や、高級な服を着用している場合には、服が汚れるのを嫌って服では拭かず、表示部が汚れたまま使用し、画面が見にくくなるという問題がある。また、柔らかいもので表示部を拭き取らないと、表示部が傷つくという問題がある。
【０００３】
そこで、例えば、特許文献１のように、繊維布を携帯電話機のストラップの一部に用いたり、マスコット部材に繊維布を付設するものが知られている。
【特許文献１】特開２００２−７８５２２号公報
【発明の開示】
【発明が解決しようとする課題】
【０００４】
しかしながら、電子機器に、ハンドストラップやマスコット等の飾り物を付けると、カメラ撮影をするときにレンズの前に垂れ下がり、これらが撮影されてしまうことがある。また、折畳み式の電子機器では、ハンドストラップが折り畳まれる２つの筐体の間に挟まってしまうことが度々あり、このことで無駄な電力を消費することがある。それ故に、ぶらぶらするような飾り物を付けるのを好まないユーザーがいる。
【０００５】
また、ハンドバッグに急いで収納するような場合には、ハンドバッグからハンドストラップがはみ出た状態になってしまう場合があるという問題がある。
【０００６】
本発明は、上記課題に鑑み、表示部の払拭手段を電子機器の筐体に収容することにより、払拭手段を必要なときにすぐに取り出して、表示部に付着した指紋、指に含まれた脂肪分等による汚れやその他の曇りを払拭可能にすることを目的とする。
【課題を解決するための手段】
【０００７】
上記目的を達成するために、上記第１の発明では、表示部と該表示部が設けられた筐体とを有する電子機器において、
上記表示部を払拭するための払拭手段が上記筐体に収容される構成とする。
【０００８】
上記の構成によれば、手近かに表示部の汚れを払拭するための払拭手段を発見できなくても、何処でも表示部の払拭が可能になる。また、払拭手段が筐体に収容されるので、余分なスペースを必要とせず、電子機器の大きさが抑えられる。また、電子機器がカメラ機能を有するものであっても、撮影をするときに払拭手段がレンズの前に垂れ下がることはなく、払拭手段が撮影されてしまうことはない。また、電子機器をハンドバッグにしまうときに、ハンドバッグから払拭手段がはみ出た状態になってしまうこともない。
【０００９】
第２の発明では、上記払拭手段は、上記表示部の近傍に収容されている。
【００１０】
上記の構成によれば、表示面の汚れを発見すれば、すぐに表示部の近傍に収容された払拭手段によって表示部の払拭が可能になる。
【００１１】
第３の発明では、上記払拭手段は、上記筐体の側面に収容される構成とする。
【００１２】
上記の構成によれば、払拭手段を目立ちにくい筐体の側面に設けているので見映えが悪くならない。
【００１３】
第４の発明では、上記払拭手段は、ゴム含有プラスチック樹脂やゴムを材料とした成形品よりなる払拭手段本体と、繊維布とで構成されている。
【００１４】
上記の構成によれば、払拭手段をゴム含有プラスチック樹脂（エラストマ）や、ゴムを材料とした成形品としたため、変形しやすく、電子機器への取付が容易になるとと共に、外れにくい。また、繊維布のみに比べて耐久性がある。さらに、柔らかい繊維布で表示部を払拭するため、表示部が傷つかない。
【００１５】
第５の発明では、上記払拭手段本体には、繊維布収容凹部が設けられ、該繊維布収容凹部に上記繊維布が嵌め込まれるように構成されている。
【００１６】
上記の構成によれば、繊維布の位置決めが容易であり、繊維布を堅固に保持しやすい。
【００１７】
第６の発明では、上記繊維布収容凹部の深さは、上記繊維布の高さよりも浅いものとする。
【００１８】
上記の構成によれば、払拭手段本体を持った状態で、この払拭手段本体から突出した繊維布によって汚れた表示部が払拭されるので、拭き取りが容易となる。
【００１９】
第７の発明では、上記筐体は、上記払拭手段を収容する払拭手段収容凹部を備え、
上記払拭手段本体の上記繊維布収容凹部が設けられた面における長手方向一端側には、略垂直に突出する取付用突起が形成され、他端には、該払拭手段本体の長手方向に突出する係止用爪が形成され、
上記払拭手段収容凹部の底面には、上記取付用突起が嵌入される取付用孔と、上記係止用爪を係止する係止用凹部とが形成されている。
【００２０】
上記の構成によれば、払拭手段を筐体の払拭手段収容凹部に収容するときには、その取付用突起を、取付用孔に嵌め込んで、係止用爪を係止用凹部に嵌め込む。払拭手段を払拭手段収容凹部から取り出すときには、係止用爪を係止用凹部から外し、取付用突起を取付用孔から抜き出す。このように払拭手段の脱着が容易となる。
【００２１】
第８の発明では、上記筐体は、上記払拭手段を収容する払拭手段収容凹部を備え、
上記払拭手段本体の上記繊維布収容凹部が設けられた面における長手方向両端には、該払拭手段本体の長手方向に突出する係止用爪がそれぞれ形成され、
上記払拭手段収容凹部には、上記各係止用爪を係止する係止用凹部がそれぞれ形成されている。
【００２２】
上記の構成によれば、払拭手段を筐体の払拭手段収容凹部に収容するときには、一端の係止用爪を係止用凹部に嵌め込んで、他端の係止用爪を係止用凹部に嵌め込む。払拭手段を払拭手段収容凹部から取り出すときには、一端の係止用爪を係止用凹部から外し、他端の係止用爪を係止用凹部から外す。このように払拭手段の脱着がさらに容易となる。
【００２３】
第９の発明では、上記払拭手段は、上記払拭手段収容凹部に収容された状態で、その底面が上記筐体の表面と略面一となっている
上記の構成によると、払拭手段が外観上目立たないので、見映えがよく、引っ掛かりがないので、さわり心地を害さない。
【００２４】
第１０の発明では、上記払拭手段収容凹部を形成する壁部における係止用凹部の近傍の表面側には、払拭手段を該払拭手段収容凹部から剥ぎ取るように手の爪を挿入するための剥離用凹部が設けられている。
【００２５】
上記の構成によると、払拭手段を取り外す際に手の爪が剥離用凹部に挿入されるので、払拭手段が払拭手段収容凹部から容易に剥ぎ取られる。
【００２６】
第１１の発明では、上記払拭手段本体の上記繊維布の反対側には、周囲よりも凹んだ折曲用溝部が形成され、払拭手段本体が該折曲用溝部を境に折り曲げられるように構成されている。
【００２７】
上記の構成によると、払拭手段を脱着する際に払拭手段本体が、折曲用溝部を境に折り曲げられるので、脱着が容易となる。
【００２８】
第１２の発明によれば、上記払拭手段は、上記筐体に設けた電池蓋の表面に収容されている。
【００２９】
上記の構成によれば、表示部が汚れたときに電池蓋を取り外し、電池蓋に収容された払拭手段によって表示部の汚れが拭き取られる。また、払拭手段が目立ちにくい電池蓋の表面に設けられるので、外観上の見映えがよい上に余分なスペースを必要としない。
【００３０】
第１３の発明では、上記払拭手段は、繊維布のみで構成されている。
【００３１】
上記の構成によれば、拭き取りに必要な繊維布のみで安価である。
【００３２】
第１４の発明では、電子機器は、携帯通信機器とする。
【００３３】
上記の構成によると、携帯通信機器は、身近に携帯されるものであるが、手近に液晶を払拭する手段がない場合でも、払拭手段で何処でも払拭が可能になる。
【００３４】
第１５の発明では、電子機器は携帯電話機とする。
【００３５】
上記の構成によれば、払拭手段が筐体に収容されているので、コンパクトで表示部の払拭が容易な携帯電話機が得られる。
【発明の効果】
【００３６】
以上説明したように、本発明によれば、払拭手段を必要なときにすぐに取り出して、表示部に付着した指紋、指に含まれた脂肪分等による汚れやその他の曇りを払拭可能としたことにより、常に美しい表示部を見ながら電子機器の操作が可能になる。
【発明を実施するための最良の形態】
【００３７】
以下、本発明の実施形態について、図に基づいて説明する。
【００３８】
（実施形態１）
図１及び図２に本発明の実施形態１に係る電子機器（携帯通信機器）としての携帯電話機１を示す。この携帯電話機１は、第１の筐体２と第２の筐体３とを有し、これら第１の筐体２と第２の筐体３とは、ヒンジ部１３により回転可能に結合されている。
【００３９】
上記第１の筐体２には、折り畳む内側に表示部としての液晶表示部４、受話部５等が設けられ、外側にサブ表示部１５、オーディオボタン１７、１８等が設けられている。
【００４０】
上記第２の筐体３には、折り畳む内側に機能ボタン９、情報入力ボタン１０、送話部１１等が設けられ、外側に電池蓋１２、カメラ部１４等が設けられ、側面に充電端子カバー８、カード挿入部１６、イヤホンマイク端子部１９等が設けられている。
【００４１】
図３に示すように、上記第１の筐体２の液晶表示部４の下側には、周囲よりも凹んだ払拭手段収容凹部としてのクリーナ収容凹部７が形成されている。このクリーナ収容凹部７には、液晶表示部４を払拭するための払拭手段としてのクリーナ６が収容されている。
【００４２】
第１の筐体２は、内部に液晶２１と、液晶基板２２と、これら液晶２１及び液晶基板２２が係止されるマグネシウムフレーム２４とを備えている。液晶２１は、メイン表示部窓２０で覆われ、背面液晶（図示せず）は、サブ表示部窓２３で覆われている。
【００４３】
図３乃至図６に示すように、クリーナ６は、ＴＰＥ（Thermoplastic-Elastomer）やＴＰＥＥ（Thermoplastic-Polyester-Elastomer）などのゴム含有プラスチック樹脂（エラストマ）や、ゴムが材料とされる払拭手段本体としてのクリーナ本体６１と、薄板状の繊維布６６とで構成されている。
【００４４】
クリーナ本体６１は、長細い板状のもので、一端に垂直に突出し、引掛部６２ａを備えた取付用突起６２を有し、他端にクリーナ本体６１の長手方向外側に延びる２つの係止用爪６３を有し、中央部には、繊維布６６を挿入するために凹んだ繊維布収容凹部６４を有している。
【００４５】
上記繊維布収容凹部６４は、繊維布６６よりも僅かに大きい外形で形成され、その深さは、繊維布６６の高さよりも浅い深さとなっている。クリーナ本体６１と繊維布６６とは、接着剤にて結合されている。そのため、繊維布６６の位置ずれがなく、また、液晶表示部４の汚れを清掃するときに繊維布６６が液晶表示部４に接触するように構成されている。
【００４６】
上記クリーナ本体６１における繊維布６６の反対側には、長手方向に直交する方向に周囲よりも凹んだ折曲用溝部６５が形成されている。このことで、クリーナ６を脱着する際にクリーナ本体６１が、折曲用溝部６５を境に繊維布６６と反対側に折り曲げられるので、その脱着が容易となっている。
【００４７】
上記クリーナ収容凹部７は、第１の筐体２の表面を平面視矩形状に周囲よりも凹ませたもので、その底面の一端側には、クリーナ６の取付用突起６２が挿入される取付用孔７１が設けられている。クリーナ収容凹部７の他端には、係止用爪６３が外れないようにするための２つの係止用凹部７３と、クリーナ６を第１の筐体２から剥ぎ取るように手の爪を挿入するための剥離用凹部７２とが設けられている。
【００４８】
上記クリーナ６は、上記クリーナ収容凹部７に収容された状態で、その底面が第１の筐体２の表面と略面一となっている。このことで、クリーナ６が外観上目立たないので、見映えがよく、引っ掛かりがないので、さわり心地を害さない。
【００４９】
−クリーナの脱着方法−
次に、本実施形態にかかるクリーナ６の脱着について説明する。
【００５０】
まず、クリーナ６を第１の筐体２のクリーナ収容凹部７に収容するときには、折曲用溝部６５を境にクリーナ本体６１を折り曲げ、その取付用突起６２を、その引掛部６２ａ変形させながら取付用孔７１に嵌め込む。
【００５１】
次いで、クリーナ本体６１を真っ直ぐな状態に戻すようにしながら押圧し、係止用爪６３を係止用凹部７３に嵌め込むことで、クリーナ６が第１の筐体２にしっかりと取り付けられる。このクリーナ６が取り付けられた状態で携帯電話機１が携帯される。
【００５２】
一方、クリーナ６をクリーナ収容凹部７から取り出すときには、剥離用凹部７２に手の指の爪を挿入しながら引っ掛け、クリーナ本体６１を折曲用溝部６５を境に折り曲げて、係止用爪６３を係止用凹部７３から外す。
【００５３】
次いで、取付用突起６２をその引掛部６２ａを変形させながら取付用孔７１から抜き出して、クリーナ６が第１の筐体２から取り外される。
【００５４】
−実施形態１の効果−
したがって、本発明の実施形態１にかかる携帯電話機１によると、液晶表示部４の真下にクリーナ６を配置することで、液晶表示部４が汚れた場合には、クリーナ６を用いてすぐに払拭できる。払拭が終わればすぐに元の位置に取り付けられ、クリーナ本体６１が飾りとして機能を果たすようになる。
【００５５】
（実施形態２）
図７は、本発明の実施形態２に係る電子機器としての携帯電話機１０１の開いた状態を示し、払拭手段としてのクリーナ１０６が、第２の筐体３の左側面に収容される点で上記実施形態１と異なる。なお、以下の各実施形態では、上記実施形態１と同じ部分については同じ符号を付してその詳細な説明は省略する。
【００５６】
図７乃至図９に示すように、上記実施形態１と同様に、クリーナ１０６は、エラストマやゴムが材料とされた成形品よりなる払拭手段本体としてのクリーナ本体１６１と繊維布１６６とで構成され、両者は接着剤にて結合されている。なお、第２の筐体３の内部には、電池２６が収容されている。
【００５７】
クリーナ本体１６１は、長細い棒状のもので、一端に垂直に突出し、引掛部１６２ａを備えた取付用突起１６２を有し、他端にクリーナ本体１６１の長手方向外側に延びる１つの係止用爪１６３を有し、中央部には、棒状の繊維布１６６を挿入するために凹んだ繊維布収容凹部１６４を有する。
【００５８】
繊維布収容凹部１６４は、繊維布１６６よりも僅かに大きい外形で形成され、その深さは、繊維布１６６の高さよりも浅い深さとなっている。そのため、位置ずれがなく、液晶表示部４の汚れを清掃するときに繊維布１６６が液晶表示部４に接触するように構成されている。クリーナ本体１６１には、長手方向に直交する方向に折曲用溝部１６５が形成されている。
【００５９】
上記第２の筐体３の左側面には、周囲よりも凹んだクリーナ収容凹部１０７が形成されている。このクリーナ収容凹部１０７は、第１の筐体２の表面を平面視矩形状に周囲よりも凹ませたもので、その底面の一端側には、クリーナ１０６の取付用突起１６２が挿入される取付用孔１７１が設けられている。クリーナ収容凹部１０７の他端には、係止用爪１６３が外れないようにするための１つの係止用凹部１７３と、クリーナ１０６を第１の筐体２から剥ぎ取るように手の爪を挿入するための剥離用凹部１７２とが設けられている。
【００６０】
携帯時には、上記クリーナ１０６は、クリーナ収容凹部１０７に収容されている。液晶表示部４が汚れた場合には、上記実施形態１と同様に取り外してすぐに液晶表示部４を清掃できる。
【００６１】
清掃が終われば、上記実施形態１と同様にクリーナ収容凹部１０７に取り付けられ、クリーナ本体１６１が飾りとして機能を果たすようになる。
【００６２】
（実施形態３）
図１０は、本発明の実施形態３に係る電子機器としての携帯電話機２０１を示し、払拭手段としての繊維布２６６を電池蓋１２に収容した点で上記実施形態１及び２と異なる。
【００６３】
図１０乃至図１２に示すように、電池蓋１２の表面の一部には、周囲よりも凹んだ払拭手段収容凹部としての繊維布貼付凹部２６４が設けられている。この繊維布貼付凹部２６４に繊維布２６６が接着剤にて貼り付けられている。
【００６４】
このことで、液晶表示部４が汚れたときにすぐに電池蓋１２を取り外し、電池蓋１２に貼り付けられた繊維布２６６によって液晶表示部４の汚れを拭き取ることができる。
【００６５】
また、繊維布２６６が目立ちにくい電池蓋１２の表面に設けられるので、外観上の見映えがよい上に余分なスペースを必要としない。
【００６６】
（その他の実施形態）
本発明は、上記実施形態について、以下のような構成としてもよい。
【００６７】
すなわち、上記実施形態では、表示部を液晶表示部４としたが、有機ＥＬディスプレイによるものとしてもよい。
【００６８】
また、上記実施形態１及び２のクリーナ６，１０６の携帯電話機１への取り付けは、一端は取付用突起６２，１６２で、他端は係止用爪６３，１６３で行っているが、両端共に取付用爪を設けてもよい。
【００６９】
さらに、上記実施形態では、電子機器を折畳み可能な携帯電話機１としたが、折畳み機能のないものであってもよく、さらには、表示部と該表示部が設けられた筐体とを有するものであれば、ＰＣ、モバイルツール、電子辞書、電卓などの電子機器であってもよいし、ＰＨＳ、ＰＤＡなどの携帯通信機器でもよい。
【００７０】
なお、以上の実施形態は、本質的に好ましい例示であって、本発明、その適用物や用途の範囲を制限することを意図するものではない。
【産業上の利用可能性】
【００７１】
以上説明したように、本発明は、表示部と該表示部が設けられた筐体とを有する電子機器について有用である。
【図面の簡単な説明】
【００７２】
【図１】本発明の実施形態１に係る携帯電話機の開いた状態を左方向から見た斜視図である。
【図２】本発明の実施形態１に係る携帯電話機の開いた状態の外側を右方向から見た斜視図である。
【図３】本発明の実施形態１に係る携帯電話機の開いた状態を左方向から見た斜視図で、クリーナを外した状態を示す。
【図４】本発明の実施形態１に係る携帯電話機の第１の筐体の縦方向断面図である。
【図５】本発明の実施形態１に係る携帯電話機の第１の筐体の横方向断面図である。
【図６】クリーナを分解した斜視図である。
【図７】本発明の実施形態２に係る携帯電話機の開いた状態を左方向から見た斜視図で、クリーナを第２の筐体の側面に収容する様子を示す。
【図８】図７の横断面図である。
【図９】クリーナを分解した斜視図である。
【図１０】本発明の実施形態３に係る携帯電話機において、繊維布を電池蓋に収容する様子を示す斜視図である。
【図１１】本発明の実施形態３に係る携帯電話機繊維布を電池蓋に収容した断面図である。
【図１２】図１１のＡ部拡大断面図である。
【符号の説明】
【００７３】
１，１０１，２０１      携帯電話機（電子機器、携帯通信機器）
２      第１の筐体
３      第２の筐体
４      液晶表示部（表示部）
６，１０６      クリーナ（払拭手段）
７，１０７      クリーナ収容凹部（払拭手段収容凹部）
１２      電池蓋
６１，１６１      クリーナ本体
６２，１６２      取付用突起
６３，１６３      係止用爪
６４，１６４      繊維布収容凹部
６５，１６５      折曲用溝部
６６，１６６      繊維布
７１，１７１      取付用孔
７２，１７２      剥離用凹部
７３，１７３      係止用凹部
２６４      繊維布貼付凹部（払拭手段収容凹部）
２６６      繊維布（払拭手段）
【図１】
2007166331.tif 000003
【図２】
2007166331.tif 000004
【図３】
2007166331.tif 000005
【図４】
2007166331.tif 000006
【図５】
2007166331.tif 000007
【図６】
2007166331.tif 000008
【図７】
2007166331.tif 000009
【図８】
2007166331.tif 000010
【図９】
2007166331.tif 000011
【図１０】
2007166331.tif 000012
【図１１】
2007166331.tif 000013
【図１２】
2007166331.tif 000014